(57)【要約】    【課題】設置及び取扱いが容易でコスト的に安価なパラシュート型の消火装置を提供する。    【解決手段】消火装置１は、先端に開放可能なキャップ３を備えた伸縮自在な収納筒２と、収納筒２に折り畳み状態で収納されたパラシュート４と、パラシュート４を収納筒２から外部に引き出した際に展開させる展開機構５と、パラシュート４を収納筒２から引き出す引き紐１６とを備える。パラシュート４には、消火剤を含浸した布又は紙を使用する。    【選択図】      図２
2006122374.tif 000002
【特許請求の範囲】
【請求項１】
先端に開放可能なキャップを備えた伸縮自在な手持ち用の収納筒と、
前記収納筒に折り畳み状態で収納されたパラシュートと、
前記キャップに結び付けた引き紐により前記パラシュートを前記収納筒から外部に引き出した際に展開させる展開機構と、
を備えたことを特徴とする消火装置。
【請求項２】
請求項１記載の消火装置に於いて、前記展開機構は、
前記収納筒内に一端を固定した吊り紐の先端に固定されたスライド軸と、
前記スライド軸に摺動自在に装着したスライドコマと、
前記スライドコマに一端を回動自在に軸支すると共に先端を前記パラシュートに連結した複数本の骨格リンク部材と、
前記スライド軸の先端に一端を回動自在に軸支すると共に他端を前記骨格リンク部材の途中に回動自在に軸支した複数本の展開リンク部材と、
を備え、前記引き紐により前記スライドコマを前記スライド軸の先端側に移動させることにより前記展開リンク部材を介して前記骨格リンク部材を放射状に開いて前記パラシュートを展開させることを特徴とする消火装置。
【請求項３】
請求項１記載の消火装置に於いて、前記展開機構は、前記収納筒に折り畳み状態で収納され、前記引き紐により外部に引出された際に放射状に開いて前記パラシュートを展開させる複数本のバネ部材であることを特徴とする消火装置。
【請求項４】
請求項１記載の消火装置に於いて、前記展開機構は、前記収納筒に折り畳み状態で収納され、前記引き紐により外部に引出されて炎からの熱を受けた際にリング状の記憶形状に変形して前記パラシュートを展開させる形状記憶合金部材であることを特徴とする消火装置。
【請求項５】
請求項１記載の消火装置に於いて、前記パラシュートは、消火剤を含浸した布又は紙であることを特徴とする消火装置。
【発明の詳細な説明】
【技術分野】
【０００１】
本発明は、てんぷら油の加熱等による台所の油火災を消火する住宅用の消火装置に関する。
【背景技術】
【０００２】
従来、住宅用の消火装置としては、居室の火災を想定したスプリンクラー消火設備、厨房の火災を想定したレンジフード消火装置、消火器等が商品化されている。例えば、スプリンクラー消火設備の場合、レンジの天井部に設置したスプリンクラーヘッドの感熱作動によって水道に接続された消火水が自動的に放出される。またレンジフード消火装置の場合は、コンロ上部のレンジフード内に設置した感熱部が溶解して自助的に消火剤が放出される。
【特許文献１】特開平８−１０７９４２号公報
【特許文献２】特開平１１−２２１２９７号公報
【特許文献３】特開平５−１４６５２２号公報
【特許文献４】特開２００２−２９１９２４号公報
【特許文献５】実開平５−７２５２号公報
【発明の開示】
【発明が解決しようとする課題】
【０００３】
しかしながら、このような従来の消火装置にあっては次のような問題がある。まずスプリンクラー消火設備は、コストが高く広く普及することが難しく、基本的には新築住宅に対しての設備であり、既存住宅に設置することが大変難しい。また、一度放出されると大きな水損が避けられない。更に、住宅内の改装、レイアウト変更に対して、ヘッド配置の変更との適切な対策が立てにくい。
【０００４】
またレンジフード消火設備は、消火剤の保存量に限界があるため、消火できない場合のリスクがある。更に、消火器の場合には、一人が操作するため、熟練度、訓練による慣れが必要があり、人がいても確実に消せるかの保証がない。
【０００５】
このような問題を解決するため本願発明者等にあっては、消火装置本体を例えば台所のレンジ上方でレンジフードの下となる壁面に設置し、調理中に天ぷら油に引火して燃え上がったような場合、センサにより油温度が発火温度を越えたことを検知して本体内に折り畳み状態で収納している防火布製のパラシュートをレンジに向けてバネの力等により放出して展開し、引火した天ぷら鍋を覆うことにより酸素の供給を遮断し、火災を抑制し、更には窒息消火を可能とする消火装置を提案している（特願２００４−１４４７２２号）。
【０００６】
しかしながら、固定設置型されるパラシュート型の消火装置にあっては、天ぷら鍋の油火災を自動的に検知して消火できる利点を備えるが、その分、コストが高めにならざるを得ず、この種の消火装置の普及を図るためには、消火装置としての機能を損なうことなく更にコストの低減を図り、同時に取扱いが簡単にできることが重要である。
【０００７】
本発明は、天ぷら鍋の油火災に対し取扱いが容易且つ安全でコスト的にも安価な手持ち操作型の消火装置を提供することを目的とする。
【課題を解決するための手段】
【０００８】
この目的を達成するため本発明は次のように構成する。本発明の消火装置は、先端に開放可能なキャップを備えた伸縮自在な手持ち用の収納筒と、収納筒に折り畳み状態で収納されたパラシュートと、キャップに結び付けた引き紐によりパラシュートを収納筒から外部に引き出した際に展開させる展開機構とを備えたことを特徴とする。
【０００９】
ここで展開機構は、収納筒内に一端を固定した吊り紐の先端に固定されたスライド軸と、スライド軸に摺動自在に装着したスライドコマと、スライドコマに一端を回動自在に軸支すると共に先端を前記パラシュートに連結した複数本の骨格リンク部材と、スライド軸の先端に一端を回動自在に軸支すると共に他端を骨格リンク部材の途中に回動自在に軸支した複数本の展開リンク部材とを備え、引き紐により前記スライドコマをスライド軸の先端側に移動させることにより展開リンク部材を介して骨格リンク部材を放射状に開いてパラシュートを展開させる。
【００１０】
また展開機構は、収納筒に折り畳み状態で収納され、引き紐により外部に引出された際に放射状に開いてパラシュートを展開させる複数本のバネ部材としても良い。
【００１１】
更に、展開機構は、収納筒に折り畳み状態で収納され、引き紐により外部に引出されて炎からの熱を受けた際にリング状の記憶形状に変形してパラシュートを展開させる形状記憶合金部材としても良い。
【００１２】
パラシュートは、消火剤を含浸した布又は紙とする。更に、収納筒を消火対象場所に取り付けるホルダを備える。
【発明の効果】
【００１３】
本発明によれば、天ぷら鍋の油火災の際には、消火装置のキャップを外して収納筒からパラシュートを引き出して展開させ、収納筒を伸ばした状態で先端にから吊り下げた状態でパラシュートを油火災を起している天ぷら鍋の上に降ろすことで、パラシュートにより油面を覆って酸素の供給を遮断し、火災を抑制し、更には窒息消火を可能し、簡単な操作で確実に消火できる。
【００１４】
また本発明の消火装置は、開いたパラシュートを伸ばした状態で数十センチメートル程度に伸びる収納筒の先端から吊り下げた状態で、十分に離れた位置から火災を起している天ぷら鍋の上に降ろすことできるため、安全に消火を行うことができる。
【００１５】
また本発明の消火装置は、例えば長さが約２０センチメートル程度の円筒体であり、小型軽量であることから、台所の壁面等の手近な場所にマグネットや粘着テープ等により簡単に取り付けておくことができ、天ぷら鍋など油火災の際に手早く取って消火に使うことができる。
【００１６】
更にパラシュートとして消火剤を含浸した布や紙を使用することで、防火布を使用した場合に比べコストの低減と軽量化を図ることができる。
【発明を実施するための最良の形態】
【００１７】
図１は本発明による消火装置の説明図である。図１において、本発明の消火装置１は、消火の際に手に持つための収納筒２を有し、収納筒２は外筒２ａ、中筒２ｂ及び内筒２ｃの３段階に分かれた伸縮自在な多段筒構造を備えている。
【００１８】
このうち外筒２ａは、左側に閉鎖した底部を持ち、右側を開口しており、この中に両側を開口した中筒２ｂを抜け止め自在に収納し、その中に先端開口部に着脱自在なキャップ３を備えた内筒２ｃを抜け止めするように摺動自在に収納している。
【００１９】
収納筒２の内部には、内部先端側にパラシュート４が折り畳み状態で収納されており、パラシュート４の左側には展開機構５が一体に組み込まれている。パラシュート４は収納筒２から外部に引き出して展開した状態で円形となるシート部材であり、本発明としては消火剤を含浸した布もしくは厚めの紙を使用している。このようにパラシュート４として消火剤を含浸した布または厚めの紙を使用することで、防火布を使用した場合に比べ、コストの低減と重量の低減を図ることができる。
【００２０】
展開機構５は、スライド軸６に対し左側に摺動自在にスライドコマ７を設けている。スライドコマ７にはボール８が埋め込まれており、ボール８はスライド軸６の外周軸方向に形成したスライド溝６ａに沿ってスライドコマ７を案内する。スライドコマ７には、支軸１０によって骨格リンク部材９の一端が回動自在に軸支されている。
【００２１】
骨格リンク部材９の先端はパラシュート４に連結されている。骨格リンク部材９の先端に対するパラシュート４の連結は、骨格リンク部材９を支軸１０を中心に放射状に開いた状態で、同じく円形に開いたパラシュート４に位置合せし、その位置で先端をパラシュート４に連結し、連結が済んだ状態で図示のように折り畳んで収納筒２に入れている。
【００２２】
スライド軸６の先端にはストッパリング１１が固定されており、ストッパリング１１には支軸１３により展開リンク部材１２が軸支されており、展開リンク部材１２の他端は骨格リンク部材９の途中に支軸１４によって連結されている。
【００２３】
スライド軸６の左端は、外筒２ａの端部内側に固定した吊り紐１５が連結されている。また先端のキャップ３の裏側に一端を固定した引き紐１６が設けられ、引き紐１６の他端は展開機構５の左端に設けているスライドコマ７に結び付けられている。
【００２４】
図１の収納筒２の伸縮状態において、消火装置１の軸方向の長さは約２０センチメートル程度であり、台所などの使用場所に設置しても邪魔にならず、また消火の際に手に持って操作する場合にも取り扱いが容易な大きさとしている。
【００２５】
また図１において、収納筒２に折り畳み状態で収納しているパラシュート４には消火剤が含浸されており、消火剤の乾燥を防ぐため、キャップ３及び内筒２ｃ、中筒２ｂ、外筒２ａの開口側の合せ部分については、シールを施して内部を密閉させている。
【００２６】
図２は本発明の消火装置において収納筒２を伸ばした状態の説明図である。図２において、収納筒２の外筒２ａを片手で持って、キャップ３を持った内筒２ｃを軸方向に引き出すことで、外筒２ａに対し抜け止めする位置まで中筒２ｂが伸び、更に中筒２ｂに対し抜け止めする位置まで内筒２ｃが伸び、この伸ばした際の長さは図１の収納時における約２０センチメートルに対し６０センチメートル程度に伸ばすことができる。
【００２７】
このような伸縮自在な収納筒２により天ぷらなどの油火災で消火する際には、消火装置１の収納筒２を図２のように６０センチメートル程度に伸ばした状態で使用する。
【００２８】
図３は図１の展開機構５の説明図である。展開機構５は収納筒２に対する収納状態で折り畳まれ、この状態でスライドコマ７がスライド軸６の端部に位置し、展開リンク部材１２が閉じることで骨格リンク部材９も閉じている。
【００２９】
骨格リンク部材９を開くためには、スライド軸６に対しスライドコマ７をストッパリング１１側に移動させる。スライドコマ７が例えばストッパリング１１側の７ａの位置に移動すると、スライドコマ７に伴う骨格リンク部材９の移動に伴って展開リンク部材１２が１２ａのように外に開き、これによって骨格リンク部材９も、９ａに示すように開くことになる。
【００３０】
図４は図１の消火装置でパラシュート４を引き出して展開させた状態の説明図である。図４において、内筒２ｃの先端から引き出されたパラシュート４は、展開機構５により図３に示したようにして展開し、円形のシート形状に展開する。このパラシュート４の展開は、引き紐１６によりスライド軸６に対しスライドコマ７を下方に移動させ、スライドコマ７の移動に伴う展開リンク部材１２と骨格リンク部材９の動きでパラシュート４を開くことになる。
【００３１】
次に本発明の消火装置１を使用した天ぷら鍋の油火災に対する消火活動を説明する。図５は台所に本発明の消火装置１を設置した状態で調理鍋の油火災が発生した場合の説明図である。レンジ２０に乗せた調理鍋２１により天ぷら調理をしている途中で、万一、天ぷら油に着火して炎２２が燃え上がった場合には、例えば台所の片隅にホルダ１９により設置している本発明の消火装置１を、油火災を消火するために取り外す。
【００３２】
続いて、消火装置１の収納筒２を片手で持って先端のキャップ３を外して、内部からパラシュート４を引き出す。パラシュート４を引き出すと同時に展開機構５も引き出され、展開機構５によって図６のようにパラシュート４が自動的に展開する。
【００３３】
パラシュート４が展開したならば、図７のように、収納筒２を最大長さに伸ばした状態で、先端の吊り紐１５により、開いたパラシュート４を吊り下げ、調理鍋２１の炎２２から十分に離れた位置から、収納筒２の先端に吊り下げているパラシュート４を、炎２２を覆うように下げ、調理鍋２１に乗せることで、火災を起こしている油面を覆い、酸素の供給を遮断して火災を抑制し、更には窒息消火を行わせる。
【００３４】
このときパラシュート４には消火剤が含浸されているため、炎２２を直接受けても、使用している布もしくは厚い紙が燃えることなく、火災を起こしている油面を覆って、確実に消火することができる。
【００３５】
図８は本発明による消火装置の他の実施形態の説明図であり、この実施形態にあってはパラシュートを傘状に畳んで収納したことを特徴とする。図８において、消火装置１の収納筒２の内部には、展開機構５に対し展開状態で円形に開くパラシュート４が傘状に折り畳まれた状態で収納されている。
【００３６】
即ち、パラシュート４は円形に開いた中心部をスライド軸６を通して左側のスライドコマ７に連結しており、スライドコマ７に支軸をもって連結された骨格リンク部材９が傘の骨のようにパラシュート４に対し連結されており、骨格リンク部材９を閉じた状態でパラシュート４を巻くことで、傘状に畳んだ状態で収納されている。それ以外の構造及び動作は図１の実施形態と同じである。
【００３７】
このようにパラシュート４を傘状に折り畳んで収納しておくことで、パラシュート４の展開が容易となり、またパラシュート４を収納筒２から滑らかに引き出すことができる。
【００３８】
図９は本発明の消火装置の他の実施形態の説明図であり、この実施形態にあっては展開機構としてバネ部材を用いたことを特徴とする。図９において、本発明の消火装置１は手持ち用の収納筒２として、図１の実施形態と同様、外筒２ａ、中筒２ｂ、内筒２ｃを順次収納した伸縮自在な構造であり、内筒２ｃの先端に設けたキャップ３の内部に、パラシュート４を傘状に折り畳んだ状態で収納している。
【００３９】
パラシュート４の展開機構は、パラシュート４の中心部に設けた固定部２３を中心に放射状に配置した複数本のバネ部材２４で構成されている。即ちバネ部材２４は、左側を固定部２３に固定しており、反対側は開放状態にあり、展開状態で円形のパラシュート４に連結しておくことで、傘状に折り畳んで図示のように収納している。
【００４０】
パラシュート４を備えたバネ部材２４及び固定部２３でなる展開機構は、先端の固定部２３が外筒２ａの底部内側に設けた吊り紐１５に連結されており、更に固定部２３は引き紐１６によりキャップ３の内側に連結されている。
【００４１】
この図９の消火装置１にあっては、天ぷら鍋の油火災の際には、収納筒２を持ち、先端のキャップ３を外して、引き紐１６によりパラシュート４を引き出すと、図１０に示すように収納状態における拘束が解かれたパラシュート４は、バネ部材２４により固定部２３を中心に放射状に展開することができ、この状態で、収納筒２を伸ばした状態で吊り紐１５から吊り下げた展開したパラシュート４を、火災を起こしている天ぷら鍋に被せるようにして消火することになる。
【００４２】
図１１は本発明の消火装置の他の実施形態であり、この実施形態にあっては展開機構として形状記憶合金部材を用いたことを特徴とする。図１１において、消火装置１は、収納筒２の内部に傘状に折り畳んでパラシュート４を収納している。収納筒２は、外筒２ａ、中筒２ｂ、先端にキャップ３を備えた内筒２ｃで伸縮自在に構成されている。
【００４３】
パラシュート４に対しては、展開状態で中心となる位置に固定部２５を設け、固定部２５を吊り紐１５により外筒２ａの底部内側に連結している。またパラシュート４の右側の展開状態で円形となる周縁には形状記憶合金部材２６が設けられており、パラシュート４の傘状の畳み込みに伴い、形状記憶合金部材２６も折り畳まれて収納されている。固定部２５は更に、引き紐１６によりキャップ３の内側に連結されている。形状記憶合金部材２６は、天ぷら火災による炎を受けた際の所定の火災温度で予め記憶したリング状の記憶形状に戻るように形状記憶処理が施されている。
【００４４】
この図１１の消火装置１による天ぷら鍋の油火災の消火にあっては、収納筒２を手に持って先端のキャップ３を外して、引き紐１６によりパラシュート４を引き出し、収納筒２を十分に伸ばして、先端から吊り紐１５により傘状に折り畳み状態にあるパラシュート４を吊り下げ、これを火災を起こしている天ぷら鍋の上に吊り下げてパラシュート４に対し炎を当てると、炎による熱を受けて形状記憶合金部材２６が図１２のように記憶形状であるリング形状に変形し、これによってパラシュート４を自動的に開くことができる。
【００４５】
形状記憶合金部材２６の変形でパラシュート４が開いたならば、火災を起こしている天ぷら鍋の上を覆うようにパラシュート４を下ろすことで、消火することができる。
【００４６】
なお本発明の消火装置のパラシュートの展開機構としては、リンク機構、バネ部材、形状記憶合金部材による場合を例にとっているが、これに限定されず適宜の展開機構を使用することができる。
【００４７】
また上記の実施形態にあっては、パラシュートをフラットな円形状に展開させる場合を例にとっているが、調理鍋の油火災の炎を包むように下ろすことが必要であることから、フラットな展開形状に限定されず、ドーム状に展開させるようにしてもよい。
【００４８】
また上記の実施形態にあっては、キャップ３に連結した引き紐１６によりパラシュート４を引き出しているが、紐の代わりにチェーンを使用しても良い。
【００４９】
また本発明は、その目的と利点を損なうことのない適宜の変形を含み、更に上記の実施形態に示した数値による限定は受けない。
【図面の簡単な説明】
【００５０】
【図１】本発明の消火装置の説明図
【図２】本発明の消火装置で収納筒を伸ばした状態の説明図
【図３】図１の展開機構の説明図
【図４】図１の消火装置でパラシュートを引き出して展開させた説明図
【図５】調理鍋の油火災に対し本発明の消火装置を取ってパラシュートを引き出した状態の説明図
【図６】図５に続いてパラシュートが展開した状態の説明図
【図７】図６に続いてパラシュートで調理鍋を覆って消火する説明図
【図８】パラシュートを傘状に畳んで収納した本発明の消火装置の説明図
【図９】展開機構としてバネ部材を用いた本発明の消火装置の説明図
【図１０】図９の消火装置でパラシュートを引き出してバネ部材により展開させた説明図
【図１１】展開機構として形状記憶合金部材を用いた本発明の消火装置の説明図
【図１２】図１１の消火装置でパラシュートを引き出して形状記憶合金部材により展開させた説明図
【符号の説明】
【００５１】
１：消火装置
２：収納筒
２ａ：外筒
２ｂ：中筒
２ｃ：内筒
３：キャップ
４：パラシュート
５：展開機構
６：スライド軸
６ａ：スライド溝
７：スライドコマ
８：ボール
９：骨格リンク部材
１０、１３、１４：支軸
１１：ストッパリング
１２：展開リンク部材
１５：吊り紐
１６：引き紐
１７：プルトップ
１８、１９：ホルダ
２０：レンジ
２１：調理鍋
２２：炎
２３、２５：固定部
２４：バネ部材
２６：形状記憶合金部材
【図１】
2006122374.tif 000003
【図２】
2006122374.tif 000004
【図３】
2006122374.tif 000005
【図４】
2006122374.tif 000006
【図５】
2006122374.tif 000007
【図６】
2006122374.tif 000008
【図７】
2006122374.tif 000009
【図８】
2006122374.tif 000010
【図９】
2006122374.tif 000011
【図１０】
2006122374.tif 000012
【図１１】
2006122374.tif 000013
【図１２】
2006122374.tif 000014